【手続補正書】
【提出日】平成28年9月21日(2016.9.21)
【手続補正１】
【補正対象書類名】明細書
【補正対象項目名】発明の名称
【補正方法】変更
【補正の内容】
【発明の名称】印刷装置及びその制御方法、並びにプログラム
【手続補正２】
【補正対象書類名】明細書
【補正対象項目名】０００１
【補正方法】変更
【補正の内容】
【０００１】
本発明は、印刷装置及びその制御方法、並びにプログラムに関し、特に、近距離無線搭載機器との間で近距離無線通信が可能な画像形成装置における省電力状態からの復帰制御技術に関する。
【手続補正３】
【補正対象書類名】明細書
【補正対象項目名】０００６
【補正方法】変更
【補正の内容】
【０００６】
しかしながら、ＲＦＩＤタグリーダ／ライタは消費電力が大きいため、画像形成装置（印刷装置）が省電力状態にある場合、その電源がＯＦＦされている。そのため、ＲＦＩＤタグ付き認証カードを画像形成装置に近接させても当該画像形成装置が省電力状態から復帰しない。
【手続補正４】
【補正対象書類名】明細書
【補正対象項目名】０００９
【補正方法】変更
【補正の内容】
【０００９】
そこで本発明は、画像形成装置が省電力状態であっても、認証カードをかざすという１アクションで省電力状態からの復帰とユーザ認証を行うことが可能な印刷装置及びその制御方法、並びにプログラムを提供することを目的とする。
【手続補正５】
【補正対象書類名】明細書
【補正対象項目名】００１０
【補正方法】変更
【補正の内容】
【００１０】
上記目的を達成するために、本発明の印刷装置は、近距離無線通信部と、ディスプレイと、前記印刷装置を制御するコントローラとを備え、前記近距離無線通信部は、前記近距離無線通信部が外部機器を検知した場合に、前記外部機器から認証データを取得すること、及び所定の信号を出力することの両方を行い、前記コントローラは、前記所定の信号に応じて、前記印刷装置を省電力状態から復帰させるための復帰処理を開始すると共に、前記復帰処理が完了すると前記近距離無線通信部が取得した前記認証データを用いてユーザ認証を行い、前記ディスプレイは、前記コントローラが前記復帰処理を実行している間、第１の表示を行うと共に、前記復帰処理が完了すると、第２の表示を行うことを行うことを特徴とする。
【手続補正６】
【補正対象書類名】明細書
【補正対象項目名】００１２
【補正方法】変更
【補正の内容】
【００１２】
【図１】本発明の第１の実施形態に係る画像形成装置（印刷装置）のハードウェア構成例を示すブロック図である。
【図２】省電力状態にあるＭＦＰの近距離無線通信時の動作処理の流れを示すフローチャートである。
【図３】機器と省電力状態にあるＭＦＰとの間の近距離無線通信時の動作処理の詳細を示すシーケンス図である。
【図４】（ａ）コントローラが起動するまでの間に操作部に表示される表示画面の一例を示す図、（ｂ）認証処理結果の表示画面の一例を示す図である。
【図５】第２の実施形態における機器と省電力状態にあるＭＦＰとの間の近距離無線通信時の動作処理の詳細を示すシーケンス図である。
【図６】機器との間の近距離無線通信時の近距離無線部の動作処理を示すフローチャートである。
【図７】ＭＦＰとの間の近距離無線通信時の機器の動作処理を示すフローチャートである。
【図８】第３実施形態における機器と省電力状態にあるＭＦＰとの間の近距離無線通信時の動作処理の詳細を示すシーケンス図である。
【図９】機器との間の近距離無線通信時の近距離無線部２００の動作処理を示すフローチャートである。
【図１０】ＭＦＰとの間の近距離無線通信時の機器２０の動作処理を示すフローチャートである。
【図１１】ＭＦＰの近距離無線部に記憶された機器情報の更新処理の流れを示すシーケンス図である。
【手続補正７】
【補正対象書類名】明細書
【補正対象項目名】００１４
【補正方法】変更
【補正の内容】
【００１４】
［第１の実施形態］
図１は、本発明の第１の実施形態に係る画像形成装置（印刷装置）のハードウェア構成例を示すブロック図である。
【手続補正８】
【補正対象書類名】特許請求の範囲
【補正対象項目名】全文
【補正方法】変更
【補正の内容】
【特許請求の範囲】
【請求項１】
印刷装置であって、
近距離無線通信部と、ディスプレイと、前記印刷装置を制御するコントローラとを備え、
前記近距離無線通信部は、前記近距離無線通信部が外部機器を検知した場合に、前記外部機器から認証データを取得すること、及び所定の信号を出力することの両方を行い、
前記コントローラは、前記所定の信号に応じて、前記印刷装置を省電力状態から復帰させるための復帰処理を開始すると共に、前記復帰処理が完了すると前記近距離無線通信部が取得した前記認証データを用いてユーザ認証を行い、
前記ディスプレイは、前記コントローラが前記復帰処理を実行している間、第１の表示を行うと共に、前記復帰処理が完了すると、第２の表示を行うことを特徴とする印刷装置。
【請求項２】
前記コントローラは、前記復帰処理が完了すると、前記認証データを前記近距離無線通信部から取得し、前記近距離無線通信部から取得した前記認証データを用いて、前記ユーザ認証を行うことを特徴とする請求項１に記載の印刷装置。
【請求項３】
前記第１の表示は、前記復帰処理の進捗を示すことを特徴とする請求項１又は２に記載の印刷装置。
【請求項４】
前記第１の表示は、前記復帰処理を実行中であることを示すことを特徴とする請求項１又は２に記載の印刷装置。
【請求項５】
前記第２の表示は、前記ユーザ認証の結果を示すことを特徴とする請求項１乃至４のいずれか１項に記載の印刷装置。
【請求項６】
前記所定の信号は、前記印刷装置を前記省電力状態から復帰させるための割込み信号であることを特徴とする請求項１乃至５のいずれか１項に記載の印刷装置。
【請求項７】
前記外部機器は、認証カードであることを特徴とする請求項１乃至６のいずれか１項に記載の印刷装置。
【請求項８】
印刷装置の制御方法であって、
前記印刷装置は、近距離無線通信部と、ディスプレイと、前記印刷装置を制御するコントローラとを備え、
前記印刷装置の制御方法において、
前記近距離無線通信部は、前記近距離無線通信部が外部機器を検知した場合に、前記外部機器から認証データを取得すること、及び所定の信号を出力することの両方を行い、
前記コントローラは、前記所定の信号に応じて、前記印刷装置を省電力状態から復帰させるための復帰処理を開始すると共に、前記復帰処理が完了すると、前記近距離無線通信部が取得した前記認証データを用いてユーザ認証を行い、
前記ディスプレイは、前記コントローラが前記復帰処理を実行している間、第１の表示を行うと共に、前記復帰処理が完了すると、第２の表示を行うことを特徴とする制御方法。
【請求項９】
前記コントローラは、前記復帰処理が完了すると、前記認証データを前記近距離無線通信部から取得し、前記近距離無線通信部から取得した前記認証データを用いて、前記ユーザ認証を行うことを特徴とする請求項８に記載の制御方法。
【請求項１０】
前記第１の表示は、前記復帰処理の進捗を示すことを特徴とする請求項８又は９に記載の制御方法。
【請求項１１】
前記第１の表示は、前記復帰処理を実行中であることを示すことを特徴とする請求項８又は９に記載の制御方法。
【請求項１２】
前記第２の表示は、前記ユーザ認証の結果を示すことを特徴とする請求項８乃至１１のいずれか１項に記載の制御方法。
【請求項１３】
前記所定の信号は、前記印刷装置を前記省電力状態から復帰させるための割込み信号であることを特徴とする請求項８乃至１２のいずれか１項に記載の制御方法。
【請求項１４】
前記外部機器は、認証カードであることを特徴とする請求項８乃至１３のいずれか１項に記載の制御方法。
【請求項１５】
請求項８乃至１４のいずれか１項に記載の制御方法をコンピュータに実行させるためのプログラム。